(57)【要約】【課題】市中を行動中のファッションモデルが着用しているファッションアイテムの情報をリアルタイムないしそれに近い感覚でユーザに提供できる情報提供システムを提供する。【解決手段】  市中を行動するファッションモデルの現在位置を示すモデル現在位置情報、ファッションモデルを着用アイテムとともに撮影したモデル画像、及びモデル画像に表れている着用アイテムを個別に特定するアイテム特定情報を取得し、それらモデル画像とモデル現在位置情報とアイテム特定情報とをファッションモデル情報として出力するようにした。これによりユーザは、特定のファッションモデルのファッションアイテム着用状況を、当該ファッションモデルの活動状況とともに速やかに把握することができ、ひいては該ファッションモデルを軸とした最新のファッション情報を速やかに享受できる。【選択図】  図１４
2020052657.tif 000002
【特許請求の範囲】
【請求項１】
市中を行動するファッションモデルの現在位置を示すモデル現在位置情報を取得するモデル現在位置取得部と、
前記ファッションモデルを着用アイテムとともに撮影したモデル画像を取得するモデル画像取得部と、
前記モデル画像に表れている前記着用アイテムを個別に特定するアイテム特定情報を取得するアイテム特定情報取得部と、
前記モデル画像と前記モデル現在位置情報と前記アイテム特定情報とをファッションモデル情報として出力するファッションモデル情報出力部と、
を備えたことを特徴とするファッションモデル情報提供システム。
【請求項２】
前記ファッションモデル情報出力部は、無線端末として構成されたユーザ端末に前記ファッションモデル情報を無線送信出力するものである請求項１記載のファッションモデル情報提供システム。
【請求項３】
前記モデル現在位置取得部は、前記ファッションモデルが携帯する無線端末であるモデル端末に組み込まれたモデル現在位置測位部から前記モデル現在位置情報を無線通信により取得するものである請求項１又は請求項２に記載のファッションモデル情報提供システム。
【請求項４】
前記モデル現在位置取得部は、前記市中に分散設置された複数の定点カメラによる撮影画像情報に基づいて前記モデル現在位置を特定するモデル現在位置特定部を有する請求項１又は請求項２に記載のファッションモデル情報提供システム。
【請求項５】
前記着用アイテムの販売チャネル情報を取得する販売チャネル情報取得部を備え、
前記ファッションモデル情報出力部が送信する前記ファッションモデル情報は前記販売チャネル情報を含むものである請求項１ないし請求項４のいずれか１項に記載のファッションモデル情報提供システム。
【請求項６】
前記販売チャネル情報は前記着用アイテムを販売する実店舗情報又はインターネト販売サイト情報の少なくともいずれかを含む請求項５記載のファッションモデル情報提供システム。
【請求項７】
複数のファッションモデルのいずれかを選択するモデル選択部を備え、前記ファッションモデル情報出力部は選択したファッションモデルにかかる前記ファッションモデル情報を出力するものである請求項１ないし請求項６のいずれか１項に記載のファッションモデル情報提供システム。
【請求項８】
前記モデル画像取得部は、前記ファッションモデルが携帯する無線端末として構成されたモデル端末から、該モデル端末に組み込まれたカメラにより撮影された前記モデル画像を無線通信により取得するものである請求項１ないし請求項７のいずれか１項に記載のファッションモデル情報提供システム。
【請求項９】
前記モデル画像に表れている前記着用アイテムにかかる前記アイテム特定情報を記憶するアイテム特定情報記憶部を備え、前記アイテム特定情報取得部は、前記アイテム特定情報を前記アイテム特定情報記憶部から読み出して取得するものである請求項１ないし請求項８のいずれか１項に記載のファッションモデル情報提供システム。
【請求項１０】
前記モデル画像中の前記着用アイテムを画像解析により特定する着用アイテム解析部を備え、前記アイテム特定情報取得部は、前記アイテム特定情報を前記着用アイテム解析部より取得するものである請求項１ないし請求項８のいずれか１項に記載のファッションモデル情報提供システム。
【請求項１１】
前記ファッションモデルの行動経路を取得する行動経路情報取得部を備え、
前記ファッションモデル情報出力部は、前記行動経路情報と前記現在位置情報とに基づいて、前記ファッションモデルの前記現在位置を前記行動経路とともに地図上に表示する形で出力するものである請求項１ないし請求項１０のいずれか１項に記載のファッションモデル情報提供システム。
【請求項１２】
前記行動経路情報取得部は、前記ファッションモデルの移動に伴う前記現在位置情報の変化に基づいて前記行動経路情報を生成する行動経路情報生成部を備える請求項１１記載のファッションモデル情報提供システム。
【請求項１３】
市中を行動するファッションモデルの現在位置を示すモデル現在位置情報を取得するモデル現在位置取得ステップと、
前記ファッションモデルを着用アイテムとともに撮影したモデル画像を取得するモデル画像取得ステップと、
前記モデル画像に表れている前記着用アイテムを個別に特定するアイテム特定情報を取得するアイテム特定情報取得ステップと、
前記モデル画像と前記モデル現在位置情報と前記アイテム特定情報とをファッションモデル情報として出力するファッションモデル情報出力ステップと、
をコンピュータに実行させることを特徴とするファッションモデル情報提供方法。
【請求項１４】
コンピュータを、
市中を行動するファッションモデルの現在位置を示すモデル現在位置情報を取得するモデル現在位置取得部、
前記ファッションモデルを着用アイテムとともに撮影したモデル画像を取得するモデル画像取得部、
前記モデル画像に表れている前記着用アイテムを個別に特定するアイテム特定情報を取得するアイテム特定情報取得部、及び、
前記モデル画像と前記モデル現在位置情報と前記アイテム特定情報とをファッションモデル情報として出力するファッションモデル情報出力部、
として機能させることを特徴とするファッションモデル情報提供プログラム。
【発明の詳細な説明】
【技術分野】
【０００１】
この発明は、市中を行動中のファッションモデルが着用しているファッションアイテム（着用アイテム）の情報をリアルタイムないしそれに近い感覚でユーザに提供できるファッションモデル情報提供システム、ファッションモデル情報提供方法及びファッションモデル情報提供プログラムに関するものである。
【背景技術】
【０００２】
近年、デザイナーがプロモートする衣類等のファッションアイテムをファッションモデルに着用させて画像（写真）を撮影するとともに、その画像をウェブページに掲載し、購入したいファッションアイテムを該ウェブページの写真上で選択できるようにしたインターネットサイトが知られている（非特許文献１）。当該サイトでは、写真を選択すると、各ファッションアイテムの販売店サイトにジャンプし、商品としてこれを購入することが可能である。また、販売店が推奨するファッションアイテムコーディネート事例をモデルが着用して撮影した画像をコーディネートデータベースに登録し、これをウェブサイトの画面上に順次表示する情報処理システムが特許文献１に開示されている。該システムでは、ユーザが所望のコーディネート画像をクリックすることにより、コーディネート詳細画面にジャンプし、購入誘導されるようになっている。
【先行技術文献】
【非特許文献】
【０００３】
【非特許文献１】インターネットウェブサイト「ＺＯＺＯＴＯＷＮ  ＷＥＡＲ」（ＵＲＬ：ｈｔｔｐｓ：／／ｗｅａｒ．ｊｐ／）
【特許文献】
【０００４】
【特許文献１】特開２００５−３０９７８６号公報
【発明の概要】
【発明が解決しようとする課題】
【０００５】
しかし、時代の先端を行くモデルが着用する最新のファッションアイテムを追いかけたいユーザにとっては、上記従来技術では満足できないものとなる。例えば、地域ごとにファッション情報の発信元として活動するモデルは「街モデル」（略称：街モ）と称されることがあるが、街モが着用しているファッションアイテムについては、これに興味を示すユーザは可及的に早く情報把握したい、という願望がある。また、より進んでは、フォロー中のファッションモデルが現在どこで活動中なのか、さらに、今現在どのようなコーディネートでファッションアイテムを着用しているのか、などをリアルタイムで追いかけ、即時にそのアイテムを購入してユーザ自身が着用することにより、当該モデルとの一体感を味わいたい、とも考えるものである。
【０００６】
これに対し、上記文献に開示された従来技術では、上記のようなユーザの願望を充足する機能は全く備えていないといえる。例えば、サイト上の画像中でファッションモデルが着用しているアイテムは必ずしも最新のものとは限らないし、画像中のファッションモデルが今何を着用しており、どこで活動しているのか、といった情報は当然提供することができない。さらに、サイト上で採用されているファッションモデルは、サイト運営者の側で選定されたものであり、かつそのモデルが採用するアイテムのコーディネートもモデルの意思により決定されたものではないことも多く、モデル自体に興味を持つユーザの要望にきめ細かく対応できるものとはいえない。
【０００７】
本発明の課題は、特定のファッションモデルのファッションアイテム着用状況を、当該ファッションモデルの活動状況とともに速やかに把握することができ、ひいては該ファッションモデルを軸とした最新のファッション情報をリアルタイムもしくはそれに近い感覚で享受できるファッションモデル情報提供システム、ファッションモデル情報提供方法及びファッションモデル情報提供プログラムを提供することにある。
【課題を解決するための手段】
【０００８】
上記の課題を解決するために、本発明のファッションモデル情報提供システムは、市中を行動するファッションモデルの現在位置を示すモデル現在位置情報を取得するモデル現在位置取得部と、ファッションモデルを着用アイテムとともに撮影したモデル画像を取得するモデル画像取得部と、モデル画像に表れている着用アイテムを個別に特定するアイテム特定情報を取得するアイテム特定情報取得部と、モデル画像とモデル現在位置情報とアイテム特定情報とをファッションモデル情報として出力するファッションモデル情報出力部と、を備えたことを特徴とする。
【０００９】
また、本発明のファッションモデル情報提供方法は、市中を行動するファッションモデルの現在位置を示すモデル現在位置情報を取得するモデル現在位置取得ステップと、ファッションモデルを着用アイテムとともに撮影したモデル画像を取得するモデル画像取得ステップと、モデル画像に表れている着用アイテムを個別に特定するアイテム特定情報を取得するアイテム特定情報取得ステップと、モデル画像とモデル現在位置情報とアイテム特定情報とをファッションモデル情報として出力するファッションモデル情報出力ステップと、をコンピュータに実行させることを特徴とする。
【００１０】
さらに、本発明のファッションモデル情報提供プログラムは、コンピュータを、市中を行動するファッションモデルの現在位置を示すモデル現在位置情報を取得するモデル現在位置取得部、ファッションモデルを着用アイテムとともに撮影したモデル画像を取得するモデル画像取得部、モデル画像に表れている着用アイテムを個別に特定するアイテム特定情報を取得するアイテム特定情報取得部、及び、モデル画像とモデル現在位置情報とアイテム特定情報とをファッションモデル情報として出力するファッションモデル情報出力部、として機能させることを特徴とする。
【発明の効果】
【００１１】
上記本発明によると、市中を行動するファッションモデルの現在位置を示すモデル現在位置情報、ファッションモデルを着用アイテムとともに撮影したモデル画像、及びモデル画像に表れている着用アイテムを個別に特定するアイテム特定情報を取得し、それらモデル画像とモデル現在位置情報とアイテム特定情報とをファッションモデル情報として出力するようにした。これによりユーザは、特定のファッションモデルのアイテム着用状況を、当該ファッションモデルの活動状況とともに速やかに把握することができ、ひいては該ファッションモデルを軸とした最新のファッション情報を速やかに享受できる。
【図面の簡単な説明】
【００１２】
【図１】本発明の情報提供システムの一例を示すブロック図。
【図２】情報提供サーバの構成の一例を示すブロック図。
【図３】ユーザ端末の構成の一例を示すブロック図。
【図４】モデル端末の構成の一例を示すブロック図。
【図５】訪問予定先リストデータの一例を示す模式図。
【図６】予定経路データの一例を示す模式図。
【図７】コーデリストデータの一例を示す模式図。
【図８】訪問予定先リスト及びコーデリストの登録設定処理の流れを示す通信フロー図。
【図９】モデル選択処理及びモデル画像表示処理の流れを示すフローチャート。
【図１０】モデル移動経路の情報配信処理の流れを示す通信フロー図。
【図１１】訪問予定先リスト及び販売店訪問経路の情報配信処理の流れを示す通信フロー図。
【図１２】コーデリスト及びび販売店訪問経路の情報配信処理の流れを示す通信フロー図。
【図１３】ユーザ端末としてのスマートフォン画面にメニュー画面を表示した状態を示す図。
【図１４】同じくモデル行動地図画面を表示した状態を示す図。
【図１５】同じく訪問予定先リスト画面を表示した状態を示す図。
【図１６】同じくモデル画像を表示した状態を示す図。
【図１７】同じくコーデリスト画面を表示した状態を示す図。
【図１８】同じく販売店画面を表示した状態を示す図。
【図１９】同じく経路表示画面を表示した状態を示す図。
【図２０】同じく別の販売店画面を表示した状態を示す図。
【図２１】同じくメニューを表示した状態を示す図。
【図２２】図１の情報提供システムの変形例を示すブロック図。
【図２３】ファッションモデルの現在位置を定点カメラの撮影画像により特定する方法を説明する図。
【図２４】アイテム特定情報を画像照合に基づいて取得する例を示す説明図。
【図２５】同じくトピック提供画面を表示した状態を示す図。
【発明を実施するための形態】
【００１３】
以下、本発明の実施の形態を添付の図面に基づき説明する。
図１は、  本発明の情報提供システムの一構成例を示すブロック図である。情報提供システム１は、公共通信網としてのインターネット２００により相互に接続される情報提供サーバ５０、無線基地局２０１、ユーザ端末１５０（本実施形態ではスマートフォン）、モデル端末１８０（本実施形態ではスマートフォン）を含んで構成される。ユーザ端末１５０及びモデル端末１８０は、無線基地局２０１とのパケット通信を介してインターネット２００に接続される。また、インターネット２００には、複数の販売店サーバ８０及び地図サーバ１００が接続されている。
【００１４】
図２は、情報提供サーバ５０のブロック図である。情報提供サーバ５０はマイコンを処理主体として備えている。該マイコンは、ＣＰＵ５１、プログラム実行領域となるＲＡＭ５２、ＲＯＭ５３、入出力部５４及びそれらを相互に接続するバス５６等からなる。また、バス５６にはハードディスクドライブ５５が接続され、サーバ管理ソフトウェア５０ｂがインストールされている。また、ハードディスクドライブ５５にはモデル登録データ５０ａ及びファッションモデルの移動経路を記録した移動経路データ５０ｒが記憶されている。さらに、モデル登録データ５０ａは訪問予定先リストデータ５０ｓ、コーデリストデータ５０ｃ及びモデル画像データ５０ｐを含む。また、入出力部５４にはモニタ５８及びキーボード等で構成された入力部５９が接続されている。さらに、バス５６にはブロードバンドルータ５７が接続され、該ブロードバンドルータ５７を介して情報提供サーバ５０はインターネット２００に接続される。サーバ管理ソフトウェア５０ｂは、ブロードバンドルータ５７とともに、請求項に記載したモデル位置情報取得部、モデル画像取得部、アイテム特定情報取得部、アイテム購入参照情報生成部、ファッションモデル情報送出部、アイテム購入参照情報生成部などの、情報提供サーバ５０の基本機能を実現するものである。
【００１５】
図３は、ユーザ端末１５０の構成例を示すブロック図である。ユーザ端末１５０はマイコンを処理主体として備えている。該マイコンは、ＣＰＵ１５１、プログラム実行領域となるＲＡＭ１５２、ＲＯＭ１５３、入出力部１５４及びそれらを相互に接続するバス１５６等からなる。また、バス１５６には大容量フラッシュメモリ１５５が接続され、ここにユーザ端末１５０の動作環境を構築するためのＯＳ（図示せず）と、ユーザ端末アプリ１５０ａがインストールされている。ユーザ端末アプリ１５０ａは、地図表示モジュール１５０ｍ、経路表示モジュール１５０ｐ、訪問予定先リスト表示モジュール１５０ｓ、コーデリスト表示モジュール１５０ｃ及び購入支援モジュール１５０ｂを含む。また、入出力部５４にはモニタ１５８、入力部をなすタッチパネル１５９及びユーザ現在位置測位部をなすＧＰＳ１６０が接続されている。さらに、バス１５６には無線通信部１５７が接続され、該無線通信部１５７及び無線基地局２０１を介してユーザ端末１５０はインターネット２００に無線接続される。モニタ１５８にはタッチパネル１５９が重ね合わされ、モニタ１５８に表示形成される種々のソフト操作部（ボタンやアイコンなど）と協働して、情報提供システム１（図１）の動作に必要な種々の情報入力がなされるようになっている。
【００１６】
地図表示モジュール１５０ｍは、地図サーバ１００（図１）から地図データを取得して、モニタ１５８に地図を表示するためのものであり、無線通信部１５７ととともに、請求項に記載した地図情報取得部の機能を実現する。経路表示モジュール１５０ｐは、行動中のファッションモデルの移動経路や行動予定経路を表示するモデル現在位置表示制御部、さらにはファッションアイテム（着用アイテム）の販売店をユーザが訪問する際の経路（販売店経路）を表示する販売店経路表示制御部の機能を実現する。訪問予定先リスト表示モジュール１５０ｓは訪問予定先リスト表示制御部の、また、コーデリスト表示モジュール１５０ｃはコーデリスト表示制御部の機能を実現する。さらに、購入支援モジュール１５０ｂは、購入情報入力部及び購入情報送信部の機能を実現する。
【００１７】
図４は、モデル端末１８０の構成例を示すブロック図である。モデル端末１８０はマイコンを処理主体として備えている。該マイコンは、ＣＰＵ１８１、プログラム実行領域となるＲＡＭ１８２、ＲＯＭ１８３、入出力部１８４及びそれらを相互に接続するバス１８６等からなる。また、バス１８６には大容量フラッシュメモリ１８５が接続され、ここにモデル端末１８０の動作環境を構築するためのＯＳ（図示せず）と、モデル端末アプリ１８０ａがインストールされている。モデル端末アプリ１８０ａは、訪問予定先リスト作成送信モジュール１８０ｓ、コーデリスト作成送信モジュール１８０ｃ及びモデル画像送信モジュール１８０ｖを含む。また、入出力部１８４にはモニタ１８８、入力部をなすタッチパネル１８９、端末現在位置を測位するＧＰＳ１９０及びモデル画像を撮影するためのカメラ１９１が接続されている。さらに、バス１８６には無線通信部１８７が接続され、該無線通信部１８７及び無線基地局２０１を介してモデル端末１８０はインターネット２００に無線接続される。モニタ１８８にはタッチパネル１８９が重ね合わされ、モニタ１８８に表示形成される種々のソフト操作部（ボタンやアイコンなど）と協働して、情報提供システム１（図１）の動作に必要な種々の情報入力がなされるようになっている。
【００１８】
訪問予定先リスト作成送信モジュール１８０ｓは訪問予定先リスト送出部の機能を、コーデリスト作成送信モジュール１８０ｃはコーデリスト送出部の機能を、モデル画像送信モジュール１８０ｖはモデル画像送出部の機能を実現する。ただし、これらの機能はモデル端末１８０ではなく、インターネット２００に接続された別のサーバに組み込むようにしてもよい。例えば、モデル画像は、行動開始前に、行動時と同じコーディネートにてアイテムを着用したファッションモデルを事前に撮影した画像として用意し、これを使用するようにしてもよい。また、該モデル画像は、例えばモデル端末１８とは別の画像サーバから送出するようにしてもよい。
【００１９】
図５は、訪問予定先リストデータ５０ｓの一例を示すものである。該訪問予定先リストデータ５９ｓは、出発地、（複数の）経由地及び目的地となる訪問予定先名５０ｓ２と、所在地５０ｓ３、予定経路データ５０ｓ４、訪問予定時刻５０ｓ５及び通過フラグ５０ｓ６とが、モデル名５０ｓ１と対応付けて登録・記憶されたものである。訪問予定先名５０ｓ２、所在地５０ｓ３及び訪問予定時刻５０ｓ５は、例えばモデル端末１８０を携帯するファッションモデル自身が該モデル端末１８０を用いて入力されるものである。予定経路データ５０ｓ４は例えば図１の地図サーバ１００から取得するものである。通過フラグ５０ｓ６は、例えば図４のＧＰＳ１９０によるモデル端末１８０の測位情報が、登録されている訪問予定先の所在地に未到達を示していれば「０」（非通過）、到着を示していれば「１」（通過）として値が設定される。
【００２０】
図６は、移動経路データ５０ｒの一例を示すものである。移動経路データ５０ｒは、図４のＧＰＳ１９０によるモデル端末１８０の、各時刻５０ｒ２の測位情報（緯度５０ｒ３及び経度５０ｒ４）を対応付けて、モデル名５０ｒ１とともに記録したものである。また、図４のカメラ１９１によりモデル画像が撮影された場合は、そのモデル画像データ５０ｐが撮影時刻及び撮影位置と対応付けて記憶される。
【００２１】
図７は、コーデリストデータ５０ｃの一例を示すものである。コーデリストデータ５０ｃは、行動当日にファッションモデルがコーディネートしつつ着用するファッションアイテム（着用アイテム）のアイテム名５０ｃ５、アイテムのサイズ数５０ｃ５、同じく色数５０ｃ７、単価数量５０ｃ８及び価格５０ｃ９を、該アイテムを商品として特定するためのアイテムコード５０ｃ４、アイテムの販売店名５０ｃ２及びその通信販売サイトのＵＲＬ５０ｃ３と対応付け、さらにモデル名５０ｃ１及び登録日５０ｃｄとともに記憶したものである。アイテム名５０ｃ５は、例えばモデル端末１８０を携帯するファッションモデル自身が該モデル端末１８０を用いて入力でき、その余の情報は、例えば個々のアイテムの通信販売サイトから取得することが可能である。
【００２２】
以下、図３のユーザ端末１５０において、ユーザ端末アプリ１５０ａの実行によりモニタ１５８に表示される種々の画面と、その使用形態ならびに動作について説明する。ユーザ端末アプリ１５０ａを立ち上げると、図１３に示すメニュー画面３４０が表示される。該メニュー画面３４０には、画面ヘッダ３４１（メニューアイコン３４１Ａ及び画面タイトル３４１Ｂが表示されている）、モデルリスト３４２Ａ及び検索ウィンドウ３４２Ｂが表示される。
【００２３】
モデルリスト３４２は、情報提供サーバ５０（図２）のモデル登録データ５０ａの内容に従い、モデル名、性別及びプロフィールがリスト形式で表示されるものである。他方、登録されているモデルが多数にわたることから、希望のモデルを検索したい場合は検索ウィンドウ３４２Ｂから検索入力を行なう。本実施形態では、検索ウィンドウ３４２Ｂ内に五十音頭文字選択ボタンが形成され、任意のものをタッチすることで、タッチした五十音頭文字で始まるモデル名が検索され、その検索結果がモデルリスト３４２に表示される。ユーザは所望のモデル名をタッチすることで、特定のファッションモデルが選択された状態となる。一方、メニューアイコン３４１ａを操作すると、図２１に示すようなメニューボタン群３５４が重ね表示され、ここから例えば「フォローしている街モ」ボタンを操作すると、以前の閲覧にてユーザがフォローしたファッションモデル（街モ）がピックアップされる。こうしてモデルが選択されると、図１４に示すモデル行動地図画面３５０に遷移する。
【００２４】
モデル行動地図画面３５０には、画面ヘッダ３５１、モデル選択フィールド３５２及び地図フィールド３５３が形成されている。画面ヘッダ３５１は、メニューアイコン３５１Ａ（図１３と同一のものである）、画面タイトル３５１Ｃ及び情報アイコン３５１Ｂ（タッチすることにより、ユーザ端末１５０が配信を受ける種々の情報が表示される）を含む。モデル選択フィールド３５２には、フォロー中のモデルのいずれかを選択するためのモデル選択アイコン３５２Ａ（モデルの顔画像とモデル名を情報として含む）が表示される。また、モデル行動地図画面３５０に画面が切り替わった直後は、デフォルトのモデル（例えば、モデル選択アイコン３５２Ａの配列の特定位置（左端など）のモデル）、あるいは前回選択したモデルなどが選択された状態となる。
【００２５】
地図フィールド３５３には、モデルの出発位置（３５３Ｃ）と現在位置（３５３Ｐ）とを包含するエリアの地図３５３Ｍが、地図サーバ１００にて登録されている種々のランドマークの位置を示すランドマークアイコン３５３Ｊとともに表示される。そして、該地図上に、情報提供サーバ５０（図２）の訪問予定先リストデータ５０ｓの内容に従い、選択されたモデルの出発地となる訪問予定先の位置を示す出発地アイコン３５３Ｃ、経由地となるとなる訪問予定先の位置を示す複数の経由地アイコン３５３Ｖ、モデルの現在位置を示すモデル現在位置アイコン３５３Ｓ、ＧＰＳ１６０（図３）が特定するユーザ端末１５０の現在位置を示すユーザ現在地アイコン３５３Ｕが表示される。また、それら各アイコンをつなぐ形で、モデルの移動経路を示す移動経路３５３Ｒが表示される。この移動経路３５３Ｒは、モデルの現在位置の更新に伴い、その位置変化の履歴として記録された移動経路データ５０ｒ（図６）か、訪問予定先リストデータ５０Ｓ（図５）の予定経路データ５０ｓ４のデータのいずれかを用いて表示が可能である。前者を用いる場合は、モデルの実際の行動経路のトレースを表示できる利点がある。また、後者を用いる場合は、モデルの移動予定経路を含めて表示できる利点がある。移動経路３５３Ｒ上には撮影写真ありアイコン３５３Ｐが表示される。これは、アイコン３５３Ｐが示す位置にて、ファッションモデルを写真撮影したモデル画像が存在していることを示すものである。なお、この状態で別のモデルのモデル選択アイコン３５２Ａをタッチすると、地図３５３Ｍの表示状態は、当該別のモデルのものに切り替わる。
【００２６】
また、モデル行動地図画面３５０には、対象となるファッションモデルの訪問予定先リストの表示要求を行なうためのソフトボタン３５５が表示形成されている。本実施形態では、ソフトボタン３５５は地図フィールド３５３の下に形成されている。また、地図フィールド３５３上には送信アイコン３５３Ｔが形成されており、これをタッチすることで、例えば画面上に表示されている地図等をメール送信する等の機能が起動される。
【００２７】
図１４のソフトボタン３５５を操作すると、図１５の訪問予定先画面３６０に切り替わる。訪問予定先画面３６０は画面ヘッダ３６１を有し、その下に個々の訪問予定先の詳細を個別に示す個別訪問予定先フィールド３６２が、訪問順序に従い複数上下に配列する形で表示形成される。画面ヘッダ３６１には、前画面に戻るためのボタン３６１Ａ、画面タイトル３６１Ｃ及び情報アイコン３５１Ｂが形成されている。また、訪問予定先は、訪問予定先リストデータ５０Ｓ（図５）に含まれるものであり、ファッションアイテム販売店のほか、モデルが訪問予定の飲食店、アミューズメントスポット、あるいはイベントスポットなどを含む。また、本実施形態において、そのファッションアイテム販売店は、コーデリストデータ５０ｃ（図７）に含まれるファッションアイテムの販売店を少なくも１つ含むものとされている。
【００２８】
個別訪問予定先フィールド３６２には、訪問予定先シンボル３６２Ａ、個別訪問予定先フィールド３６２の訪問予定先シンボル３６２Ａを順次つないでモデルの移動の流れを示す矢印３６２Ｂ、訪問予定先名３６２Ｃ、訪問予定先所在地３６２Ｄ、訪問予定先画像３６２Ｅ、販売店画面（「施設画面」ともいう）３９０（図１８）に遷移するためのボタン３６２Ｆ、フォローボタン３６２Ｇ、及び続きの個別訪問予定先フィールドを表示させるための次ページボタン３６３が形成されている。
【００２９】
そして、モデルが現在訪問中の個別訪問予定先フィールド３６２については、表示状態を他のものと異ならせることにより、例えば本実施形態ではフィールド背景色と訪問予定先シンボル３６２ＡＰの表示色を、他のフィールドと異なる強調色にて表示することで、モデルがすでに訪問済みの訪問予定先あるいは未訪問の訪問予定先と、容易に識別できるようにしている。気に入った訪問先があればフォローボタン３６２Ｇをタッチすることで当該訪問先がフォローされた状態となり、情報提供サーバ５０（図１）側にてそのフォロー数が管理される。ユーザ端末１５０では、図示しないフォロー数確認画面にてフォロワーの数やフォロー中の数などの状況確認が可能となっている。なお、自身がフォローした訪問先はフォローボタン３６２Ｇの表示状態の変更により、識別が可能である。
【００３０】
また、各個別訪問予定先フィールド３６２内のボタン３６２Ｆを操作すると、モデル訪問先となる施設の画面である、図１８の施設画面３９０に切り替わる。施設画面３９０は、画面ヘッダ３９１（前画面に戻るためのボタン３９１Ａ、画面タイトル３９１Ｃ、情報アイコン３５１Ｂを含む）、地図フィールド３９２及び施設紹介フィールド３９３が表示形成される。
【００３１】
地図フィールド３９２には、ユーザ現在位置（３９２Ｕ）と施設所在位置（３９２Ｐ）とを包含するエリアの地図３９２Ｍが、地図サーバ１００から取得され表示される。そして、該地図上に、ユーザ現在地アイコン３９２Ｕ、施設アイコン３９２Ｌ及び経路検索ボタン３９２Ｎが表示される。施設紹介フィールド３９３には、該施設の特徴を示す画像（例えば、ファッションアイテムの販売店であれば、アイテムの画像）３９３Ａが表示されている。
【００３２】
そして、経路検索ボタン３９２Ｎを操作すると、図１３の経路表示画面４００に切り替わる。経路表示画面４００は、画面ヘッダ４０１（前画面に戻るためのボタン４０１Ａ、画面タイトル４０１Ｃを含む）、地図フィールド３９２及び経路情報フィールド４０３が表示形成される。地図フィールド３９２には、前述の地図３９２Ｍが表示されるとともに、該地図３９２Ｍ上に、ユーザ現在位置を示す出発地アイコン３９２Ｓと、案内先の施設位置を示す目的地アイコン３９２Ｄ（施設アイコン３９２Ｌが合わせて表示される）、及び地図サーバ１００（図１）にて検索される経路３９２Ｒが表示される。また、経路情報フィールド４０３には、出発地名４０３Ｓ、目的地名４０３Ｄが距離や所要時間の情報とともに表示される。そして、経路表示画面４００には案内開始ボタン４０４が形成され、これを操作することにより図示しない経路案内画面に切り替わり、音声等による案内出力がなされるが、これらは周知のナビゲーションシステムと同じあるため、詳細は略する。
【００３３】
図１４のモデル行動地図画面３５０の説明に戻り、移動経路３５３Ｒ上の撮影写真ありアイコン３５３Ｐをタッチすると、情報提供サーバ５０から対応するモデル画像データ５０ｐが配信され、図１６に示すように、画面切り替えにより（本実施形態では、モデル行動地図画面３５０上への重ね表示により）モデル画像３７０を表示する。前述の通り、このモデル画像３７０は、撮影写真ありアイコン３５３Ｐが示す位置にて、例えばモデルが自身のモデル端末１８０（スマートフォン）のカメラ１９１により自撮りしたものであり、図２の情報提供サーバ５０にアップロードされ、モデル登録データ５０ａに随時記憶される。モデル画像３７０中にてファッションモデル３７０Ａは、着用しているファッションアイテム３７０Ｘ〜３７０Ｚ（画像中のアイテム表示領域を示す符号であるが、以下、アイテムそのものを指す符号としても使用する）のコーディネートの把握が可能となるアングル及び大きさにて撮影されている。画面切り替えによりモデル画像３７０を表示することで、サイズに制限のあるスマートフォンのモニタ１５８においてモデル画像３７０を可及的に大きく表示することができ、コーディネートアイテムの詳細がより把握しやすくなっている。
【００３４】
モデル画像３７０中のモデルが着用しているファッションアイテムは、帽子（ボーラーハット）３７０Ｘ、上着（ポンチョ）３７０Ｙ及びタイツ３７０Ｚなどの着衣であるが、例えば眼鏡、マフラー、スカーフ、手袋、ネックレスやペンダントなどの装身具、腕時計、シューズ、バッグ類など、モデルが身に着けることが可能なアイテムであれば、どのようなものであってもよい。
【００３５】
ユーザはこのモデル画像３７０から、今現在行動中のモデルのファッションコーディネート情報をほぼリアルタイムに近い感覚で取得でき、フォロー中のモデルが傾倒する最新のファッションをいち早く把握できる優越感を得ることができる。また、モデル画像３７０には撮影場所の背景３７０Ｂも映り込んでおり、その背景等の内容から、図１４のモデル行動地図画面３５０において、地図３５３Ｍ上の撮影写真ありアイコン３５３Ｐの位置で撮影されたものであることを把握できる。さらに、ユーザ現在地アイコン３５３Ｕの位置から、当該モデルに会いに行くためのルートも容易に把握できる。
【００３６】
一方、モデル画像３７０の近傍（本実施形態では、モデル画像３７０の下）には、コーデリスト画面遷移ボタン３７１が表示形成されており、これを操作することで、図１７のコーデリスト画面３８０に切り替わる。コーデリスト画面３８０は、画面ヘッダ３８１（前画面に戻るためのボタン３８１Ａ及び画面タイトル３８１Ｃを含む）、モデル表示フィールド３８２及び複数のアイテムフィールド３８３が表示形成されている。モデル表示フィールド３８２には、モデル画像３８２Ａ、モデル名、出身地及びコーデ情報の日付などを含んだモデル特定情報３８２Ｂが表示されている。
【００３７】
また、アイテムフィールド３８３は、情報提供サーバから取得するコーデリストデータ５０ｃに基づいて表示されるものである。上記のモデル画像３７０は、コーデリストに含まれるファッションアイテムを着用して撮影されたものであり、該モデル画像３７０に表れているファッションアイテムが上記複数のアイテムフィールド３８３により網羅されることとなる。個々のアイテムフィールド３８３には、アイテム購入参照情報として、アイテム画像（アイテム選択ボタンを兼ねている）３８３Ａ、アイテム名３８３Ｂ、アイテム種類情報３８３Ｃ（例えば、サイズや色）、販売チャネル情報（販売店選択ボタンを兼ねている）３８３Ｄ、価格情報３８３Ｅが表示されている。
【００３８】
アイテムフィールド３８３において、例えば販売店選択ボタン（販売チャネル情報）３８３Ｄをタッチすると、図１８の施設画面（販売店画面）３９０に遷移する（この施設画面３９０の機能及び使用方法はすでに説明したとおりである）。一方、アイテム選択ボタン（アイテム画像）３８３Ａをタッチすると、図２０に示すように、その選択されたファッションアイテムを個別に表示するとともに、該ファッションアイテムの購入に関連した入力が可能な別の施設画面（販売店画面）３９０’に遷移する。
【００３９】
該施設画面（販売店画面）３９０’は、図１８と同様の画面ヘッダ３９１及び地図フィールド３９２と、個別アイテム購入フィールド３９５が表示形成されている。そして、実際に販売店に赴いてアイテムを購入する場合は、図１８と同様に地図フィールド３９２上で販売店までの経路を探索することが可能である（図１８と共通の要素に同一の符号を付与し、詳細な説明は略する）。
【００４０】
一方、個別アイテム購入フィールド３９５には、アイテム画像３９５Ａ、アイテム名３９５Ｂ、アイテム種類情報３９５Ｃ、販売チャネル情報（販売店選択ボタン）３９５Ｄ、価格情報３９５Ｅ、購入選択ボタン３９５Ｐ１、取り置きボタン３９５Ｐ２、購入ボタン３９５Ｐ３が形成されている。購入選択ボタン３９５Ｐ１、取り置きボタン３９５Ｐ２及び購入ボタン３９５Ｐ３には、販売店サーバ８０（図１）が運営する通信販売ウェブサイトのＵＲＬ（Uniform Resource Locator）に遷移するためのリンクが張られている。例えば、購入選択ボタン３９５Ｐ１をタッチすると、通信販売ウェブサイトにて購入準備のために選択したアイテムのリスト（いわゆる「バスケットの中の商品」）を閲覧するページ（図示せず）に遷移する。また、取り置きボタン３９５Ｐ２をタッチすると通信販売ウェブサイトの商品取り置きページ（図示せず）に遷移する。さらに、購入ボタン３９５Ｐ３をタッチすると、通信販売ウェブサイトの商品購入決済ページ（図示せず）に遷移する。これらの通信販売ウェブサイトページでは、実際のアイテムの購入や取り置きの手続きが可能となるが、これはインターネットを用いた標準的な通信販売の手法に該当するため、詳細な説明は略する。
【００４１】
ここで、図２０の施設画面（販売店画面）３９０’は通信販売ウェブサイトではなく、情報提供システム１（図１）側に属するものであり、取り置きボタン３９５Ｐ２あるいは購入ボタン３９５Ｐ３により、アイテムの購入や取り置きの手続きにつながる前提操作がなされる。よって、該情報提供システム１を経由して通信販売ウェブサイトに誘導されたユーザ（顧客）によるアイテム購入の実績情報を、特に取り置きボタン３９５Ｐ２あるいは購入ボタン３９５Ｐ３の操作ログから特定することが可能となる。その結果、アイテムの購入情報が情報提供システム１側でも管理でき、例えば情報提供サーバ運営者が販売店から得る販売マージンの管理も容易となる。また、個別アイテム購入フィールド３９５の閲覧ログや、購入選択ボタン３９５Ｐ１の操作ログ（例えば、バスケットに入れられた回数）に基づいてアクセス履歴情報を取得できるが、該情報は上記のアイテム購入の実績情報とともに、個々のアイテムに向けられるユーザの興味の度合いを、特定のファッションモデルと紐づけした形で反映したものとなるので、以降の商品マーケティングなどに有効活用することが可能となる。
【００４２】
以下、上記説明したユーザ端末１５０における動作を含む、図１の情報提供システム１全体のコンピュータ処理並びに通信処理の流れについて、フローチャートを用いて説明する。図８は、訪問予定先リスト及びコーデリストの登録設定処理の流れを示す通信フロー図である。Ｔ１では、例えばモデル端末（別のＰＣでもよい）１８０から、モデル特定情報として、モデル名、プロフィール、モデル画像（サムネイル）を、情報提供サーバ５０にアップロードする。Ｔ２では、モデル端末１８０にて、当該モデルの訪問予定先リストを作成する。具体的には、訪問予定先リストのひな型に訪問予定先の施設名を順次入力する。Ｔ３では、訪問予定先となる施設（販売店）の情報を販売店サーバに要求し、Ｔ４でこれを取得する。
【００４３】
モデル端末１８０では取得した情報を訪問予定先リストに順次組み込み、さらにＴ５で、訪問予定先となる販売店のＵＲＬを訪問予定先リストに組み込む。こうして完成した訪問予定先リストを、Ｔ６にて情報提供サーバ５０にアップロードする。情報提供サーバ５０はこれを受信し、Ｔ８にて、モデルＩＤと対応付けて訪問予定先リストデータ５０Ｓ（図５）として登録する。
【００４４】
次に、モデル端末１８０側では、Ｔ７にてコーデリストを作成する。具体的には、モデル端末１８０にて、コーデリストのひな型に、当日コーディネートするべきファッションアイテム商品（以下、「コーデ商品」ともいう）名を順次入力する。Ｔ９では、該コーデ商品の販売ページに掲載されている情報を販売店サーバに要求し、Ｔ１０でこれを取得する。モデル端末１８０では取得した販売ページから、コーデ商品のアイテム名、サイズ数、色数、単価数量、価格、アイテムコード、販売店名を抽出し、訪問予定先リストに順次組み込む。こうして完成したコーデリストを、Ｔ１１にて情報提供サーバ５０にアップロードする。情報提供サーバ５０はこれを受信し、Ｔ１２にて、モデルＩＤと対応付けてコーデリストデータ５０Ｃ（図７）として登録する。
【００４５】
図９の左は、図１３及び図１４にて説明した、情報取得対象となるファッションモデルをユーザ端末１５０にて選択する、モデル選択処理の流れを示すフローチャートである。Ｓ１では画面上にてモデル選択入力がなされたかどうかを判断する。選択されていればＳ２に進み、選択されたモデルに対応する訪問予定先リストを情報提供サーバ５０に要求し、これを受信して取得する。また、Ｓ３では、同様にコーデリストを情報提供サーバ５０に要求し、これを受信して取得する。
【００４６】
また、図９の右は、図１６のように、ユーザ端末１５０にて情報提供サーバ５０からモデル画像３７０を取得して表示する、モデル画像表示処理の流れを示すフローチャートである。Ｓ１１では、図１４に示すモデル行動地図画面３５０において、撮影写真ありアイコン３５３Ｐがタッチされたかどうかを確認する。タッチされていればＳ１２に進み、図１６に示すように、選択されたモデル画像３７０をモデル行動地図画面３５０に重ね表示（ポップアップ表示）する。また、Ｓ１３では、コーデリスト画面遷移ボタン３７１を表示する。
【００４７】
図１０は、モデル移動経路の情報配信処理の流れを示す通信フロー図である。まず、Ｔ５１では、ユーザ端末１５０にてモデルを選択する。Ｔ５２では、選択したモデルとユーザ端末１５０の現在位置とを情報提供サーバ５０に通知する。Ｔ５３では、情報提供サーバ５０にて、通知されたモデルに対応する訪問予定先リストをリードする。Ｔ５４では、情報提供サーバ５０から地図サーバ１００に向け、訪問予定先リストに含まれる訪問予定先と訪問順序とを送信する。
【００４８】
続いて、地図サーバ１００では、Ｔ５５にて全ての訪問予定先をカバーする地図エリアを特定し、地図レイヤと、これに重ねるべきランドマークレイヤを生成する。また、Ｔ５６では、受信した訪問順序に従い訪問予定先を順次つなぐ形で、地図上のモデルの移動経路（あるいは移動予定経路）を決定するとともに、上記地図エリアに重なる経路レイヤを、決定した移動経路を描画しつつ生成する。Ｔ５７では、地図レイヤ、経路レイヤ及びランドマークレイヤを合成して地図ファイル作成し、Ｔ５８でこれを情報提供サーバ５０に送信する。なお、前述の通り、モデルの移動経路は、随時更新されるモデル現在位置をつなぐ形で描画することもできる。図６は、この更新されるモデル現在位置に基づく移動経路データ５０ｒを示すものである。
【００４９】
次に、情報提供サーバ５０では、Ｔ５９にてモデル端末１８０に、モデル現在位置の送信を要求する。モデル端末１８０は、Ｔ６０にてモデル現在位置を情報提供サーバ５０に送信する。これを受信した情報提供サーバ５０は、Ｔ６１にて、移動経路上にモデル画像があるかを確認する。Ｔ６２では、ランドマークレイヤに経由地、モデル現在位置、「モデル画像あり」及びユーザ現在位置の各アイコンを配置する。これらの情報が追記された地図ファイルを、Ｔ６３にてユーザ端末１５０に転送する。ユーザ端末１５０ではＴ６４でこれを受信し、図１４にて説明した通りにモデル行動地図画面３５０にこれを表示する。
【００５０】
図１１は、訪問予定先リスト及び販売店訪問経路情報の配信処理の流れを示す通信フロー図である。まず、ユーザ端末１５０のＴ１００においては、図１４のモデル行動地図画面３５０にてソフトボタン３５５の操作により、訪問予定先リストの表示が選択される。そして、Ｔ１０１では、選択したモデルについての訪問予定先リストを情報提供サーバ５０に要求する。情報提供サーバ５０は、Ｔ１０２にて訪問予定先リスト及びモデル現在位置をユーザ端末１５０に送信する。
【００５１】
これを受信したユーザ端末１５０は、Ｔ１０３において図１５の訪問予定先画面３６０のごとく、訪問予定先名３６２Ｃ、訪問予定先所在地３６２Ｄ、訪問予定先画像３６２Ｅを個別訪問予定先フィールド３６２の形で訪問予定先リスト順に配列し、現在位置に関係する個別訪問予定先フィールド３６２を強調しつつ、これらを一括表示する。そして、ユーザ端末１５０において、Ｔ１０４で訪問予定先画像がタッチされると、Ｔ１０５で情報提供サーバ５０に、図１８の販売店画面３９０の表示データを要求する。情報提供サーバ５０は、Ｔ１０７にてユーザ端末１５０にこれを送信する。ユーザ端末１５０は、Ｔ１０８で施設画面（販売店画面）３９０を表示する。
【００５２】
続いて、ユーザ端末１５０において、Ｔ１０９にて経路検索ボタン３９２Ｎがタッチされると、Ｔ１１０にてユーザ端末１５０から地図サーバ１００に、ユーザ現在位置と販売店所在地が送信される。地図サーバ１００では、Ｔ１１１にてユーザ現在位置と販売店所在地とをカバーする地図エリアを特定し、地図レイヤと、これに重ねるべきランドマークレイヤを生成する。また、Ｔ１１２では、受信したユーザ現在位置から販売店所在地に至る、地図上の案内経路を決定するとともに、上記地図エリアに重なる経路レイヤを、決定した移動経路を描画しつつ生成する。Ｔ１１３では、ランドマークレイヤにユーザ現在位置（出発地）及び販売店所在地（目的地）の各アイコンを配置する。そして、Ｔ１１４では、地図レイヤ、経路レイヤ及びランドマークレイヤを合成して地図ファイルを作成し、Ｔ１１５でこれを情報提供サーバ５０に送信する。Ｔ１１６にて情報提供サーバ５０は、受信した地図ファイルをユーザ端末１５０に転送する。ユーザ端末１５０では、Ｔ１１７にて、地図、経路及びユーザ現在位置を、図１９の経路表示画面４００に表示する。
【００５３】
図１２は、コーデリスト及び販売店訪問経路情報の配信処理の流れを示す通信フロー図である。まず、ユーザ端末１５０のＴ２０１においては、図１６のコーデリスト画面遷移ボタン３７１の操作により、コーデリスト表示の表示が選択される。そして、Ｔ２０２では、選択したモデルについてのコーデリストを情報提供サーバ５０に要求する。情報提供サーバ５０は、Ｔ２０３にてコーデリストをユーザ端末１５０に送信する。
【００５４】
これを受信したユーザ端末１５０は、Ｔ２０４において図１７のコーデリスト画面３８０のごとく、アイテム購入参照情報として、アイテム画像（アイテム選択ボタン）３８３Ａ、アイテム名３８３Ｂ、アイテム種類情報３８３Ｃ（サイズ、色）、販売チャネル情報（販売店選択ボタン）３８３Ｄ、価格情報３８３Ｅを含むアイテムフィールド３８３をコーデリスト順に配列し、これらを一括表示する。そして、ユーザ端末１５０において、Ｔ２０５でアイテム選択ボタン３８３Ａがタッチされると、Ｔ２０６で情報提供サーバ５０に、図２０の販売店画面３９０’の表示データを要求する。情報提供サーバ５０は、Ｔ２０７にてユーザ端末１５０にこれを送信する。ユーザ端末１５０は、Ｔ２０８で販売店画面３９０’を表示する。
【００５５】
以上、本発明の実施の形態について説明したが、あくまで例示であって、本発明はこれに限定されるものではない。以下、本発明の種々の変形実施態様について説明する。ファッションモデルは上記のごとく市中を行動する際に種々の訪問先を訪れる。このとき、個別の訪問先にて物品を購入したり、飲食を行なったりした際に、当該物品や飲食物の内容を、画像やコメントにより行動中のトピック情報として提供することが可能である。物品や飲食物の画像（トピック画像）は、例えばモデル端末１８０のカメラ１９１（図４）により撮影することができ、コメントはモデル端末１８０の入力部、例えばタッチパネル１８９を用いたソフトキーボードを用いて入力することが可能である。これらは無線通信によりインターネット２００（図１）を経由して情報提供サーバ５０にアップロードされ、図２に示すごとく、トピック画像データ５０ｑ及びコメントデータ５０ｕとしてＨＤＤ５５に記憶される。
【００５６】
上記のトピック画像及びコメントは、例えばユーザ端末１５０において、情報閲覧対象のファッションモデルを選択するに伴い、対応するものを閲覧できるように構成することができる。一例として、モデル選択に伴い表示される、図１４に示すモデル行動地図画面３５０に、上記の閲覧を行なうための入力部（図１４では、トピック表示ボタン３５３Ｗ）を形成しておき、該入力部の操作により、図２５に示すようにトピック画像４１２Ｌ及びコメント４１３を表示するように構成できる。
【００５７】
具体的には、ユーザ端末１５０にてトピック表示ボタン３５３Ｗ（図１４）の操作がなされると、図２５のトピック提供画面４１０に遷移する。トピック提供画面４１０は、画面ヘッダ４１１（前画面に戻るためのボタン４１１Ａ、画面タイトル４１１Ｃを含む）及びトピック情報フィールド４１２が形成される。トピック情報フィールド４１２には、前述のトピック画像４１２Ｌ、コメント４１３及びトピック画像４１２Ｌに表れているアイテムや飲食物の販売店の情報４１４が表示される。図１４の事例では、ファッションモデルが立ち寄った飲食店での食事内容にかかるトピック情報（トピック情報フィールド４１２の上側：「鯖の棒寿司」）、及び帽子店で購入した帽子に掛かるトピック情報（トピック情報フィールド４１２の下側：「ボーラーハット」）の２つが表示されている。また、上記の実施形態では、経路検索ボタン４１２Ｎも併せて形成されている。経路検索ボタン４１２Ｎを操作すると、図１３の経路表示画面４００に切り替わり、対応する店舗への経路案内がなされる。その詳細についてはすでに説明済みであるので、ここでは繰り返さない。
【００５８】
次に、図２３に示すように、市中を行動するファッションモデルＦＭの現在位置情報は、市中に分散配置された複数の定点カメラ２５２の撮影画像に基づいて特定することができる。この場合、図１に示すシステム構成は図２２に示すものに変更される。図２２においては、上記複数の定点カメラ２５２がＷＥＢカメラとしてインターネット２００に接続されており、撮影画像が情報提供サーバ５０に送信される。情報提供サーバ５０では、撮影画像中にファッションモデルＦＭが映り込んでいるか否かを解析する。該解析は図２においてＨＤＤ５５に記憶されたアイテム抽出・照合解析ソフトウェア５０ｍの実行によりなされる。具体的には、画像に映り込んでいる人物の顔、着用アイテム、体形、身長などの特徴情報を抽出し、例えば別途用意された照合用アイテム画像データベース５０ｎ（図２）内の照合用アイテム画像と比較・照合することにより、その人物がファッションモデルＦＭであるか否かを異同判定することにより実施できる（該手法については公知であり、詳細な説明は略する）。特に、ファションモデルが当日着用している着衣（アイテム）は特徴的なものとなることが多いから、当該着衣の異同判定は、画像に写り込んだ人物がファッションモデルＦＭであるか否かを特定する上での決め手となる場合が多い。
【００５９】
そして、画像中の人物がファッションモデルＦＭであることが特定されれば、画像を撮影したカメラ２０２の位置情報からモデル現在位置を特定することができる。このとき、必要であれば、カメラ視野内での位置に基づいて周知の手法により、より詳細にモデル現在位置を特定することも可能である。また、着衣（アイテム）の特徴から人物の異同判定を行なう際は、あるカメラ２０２に特定のアイテムを着用した人物画像が撮影され、次いで別のカメラ２０２に同じアイテムを着用した人物画像が撮影された場合に、次のようにしてそれが同一人物か否かを判定することが可能である。すなわち、２つのカメラ間の距離をあらかじめ求めておき、他方、撮影された２つの画像の撮影時刻の差分を演算する。そして、徒歩での移動を前提とした場合に、演算により得られた差分時間が、両カメラ間を移動するのに十分な時間であるか否かに基づき、２つの画像に写り込んだ人物が同一か否かを判定することができる。
【００６０】
また、上記の実施形態においては、ファッションモデルの着用アイテムの特定情報は、図７に示すコーデリストデータ５０ｃとして、情報提供サーバ５０に事前に登録されたものを用いていたが、上記の撮影画像（あるいは図１６のモデル画像３７０）に写り込んでいるアイテムの画像領域を上記の照合用アイテム画像と比較・照合することにより特定するようにしてもよい。具体的には、照合用アイテム画像データベース５０ｎ（図２）内に、各アイテムの照合用画像と、前述のコーデリストデータ５０ｃ（図７参照）と同様のアイテム特定情報（アイテム名、アイテムのサイズ数、同じく色数、単価数量及び価格及びアイテムコード等）、アイテムの販売店名及びその通信販売サイトなどの販売チャネル情報とを互いに対応付けて記憶しておくことができる。そして、図２４に示すように、モデル画像３７０から抽出されたアイテム画像領域３７０Ｘ、３７０Ｙ及び３７０Ｚを、参照用データベース内の照合用アイテム画像と順次照合し、照合一致した照合用アイテム画像３７０ＸＰ、３７０ＹＰ及び３７０ＺＰに対応するアイテム特定情報及び販売チャネル情報を読み出すことで、これらを取得することが可能となる。該機能は、着用アイテム解析部の機能を担うアイテム抽出・照合解析ソフトウェア５０ｍの実行により実現するものである。
【００６１】
本発明のより具体的な構成及び作用・効果の詳細は次のとおりまとめられる。
ファッションモデル情報出力部は、無線端末として構成されたユーザ端末にファッションモデル情報を無線送信出力するものとして構成できる。ユーザは、自身も移動しつ保有するユーザ端末でファッションモデル情報を無線受信でき、ファッションモデルを軸とした最新のファッション情報を、場所を選ばず速やかに享受できる。
【００６２】
また、着用アイテムの販売チャネル情報を取得する販売チャネル情報取得部を設けることができ、ファッションモデル情報出力部が送信するファッションモデル情報は販売チャネル情報を含むものとできる。着用アイテムの販売チャネル情報を得られるようにすることで、例えば即時にその着用アイテムを購入することにより、贔屓のモデルとの一体感を味わいたい、といった願望についても留飲を下げることができる。販売チャネル情報は、例えば着用アイテムを販売する実店舗情報とすることができるが、インターネト販売サイト情報であってもよい。
【００６３】
モデル現在位置取得部は、ファッションモデルが携帯する無線端末であるモデル端末に組み込まれたモデル現在位置測位部からモデル現在位置情報を無線通信により取得するものとして構成できる。これにより、ファッションモデルの現在位置を簡単にかつ確実に特定することが可能となる。一方、モデル現在位置取得部は、市中に分散設置された複数の定点カメラによる撮影画像情報に基づいてモデル現在位置を特定するモデル現在位置特定部を有するものとして構成することが可能である。これにより、モデル現在位置測位部が組み込まれたモデル端末をファッションモデルが携行していない場合でも、モデル現在位置を特定することが可能となる。
【００６４】
本発明の情報提供システムは、より具体的には以下の要件を含むものとして構成することが可能である。
・モデル端末：市中を行動するファッションモデルが携帯する無線端末として構成され、その現在位置をモデル現在位置として測位するモデル現在位置測位部と、該モデル現在位置をモデル位置情報として公共通信網に無線通信により送出するモデル位置情報送出部とを有する。
・モデル画像送出部：着用アイテムが識別可能な状態で前記ファッションモデルを撮影したモデル画像を、公共通信網に送出する。
・アイテム特定情報送出部と、モデル画像に表れている着用アイテムを個別に特定するためのアイテム特定情報を前記公共通信網に送出する。
・情報提供サーバ：公共通信網を介してモデル位置情報を取得するモデル位置情報取得部と、公共通信網を介してモデル画像を取得するモデル画像取得部と、公共通信網を介してアイテム特定情報を取得するアイテム特定情報取得部と、アイテム特定情報が特定する着用アイテムの販売チャネル情報を含むアイテム購入参照情報を作成するアイテム購入参照情報生成部と、モデル位置情報、モデル画像及びアイテム購入参照情報をファッションモデル情報として公共通信網に送出するファッションモデル情報送出部と、を備える。
・ユーザ端末：表示部として機能するモニタと、公共通信網を介してファッションモデル情報を取得するファッションモデル情報取得部と、モデル位置情報に基づき、行動中のファッションモデルの現在位置をモニタに表示させるモデル現在位置表示制御部と、モデル画像をモニタに表示させるモデル画像表示制御部と、アイテム購入参照情報を前記モニタに表示させるアイテム購入参照情報出力制御部とを備える。
【００６５】
上記構成によると、情報提供サーバを介し、市中を行動するファッションモデルの現在位置、着用アイテムが識別可能な状態でファッションモデルを撮影したモデル画像、及びモデル画像に表れている着用アイテムの販売チャネル情報を含むアイテム購入参照情報をユーザ端末のモニタに表示させるようにした。これによりユーザは、特定のファッションモデルのアイテム着用状況を、当該ファッションモデルの活動状況とともに速やかに把握することができ、ひいては該ファッションモデルを軸とした最新のファッション情報を速やかに享受できる。また、ファッションモデルが現在どこで活動中なのか、についてもリアルタイムで追跡でき、場合によっては現在位置を確認してモデルに会いに行ったりすることも可能となる。また、着用アイテムの販売チャネル情報も得られるので、即時にその着用アイテムを購入することにより、贔屓のモデルとの一体感を味わいたい、といった願望についても留飲を下げることができる。
【００６６】
また、複数のファッションモデルのいずれかを選択するモデル選択部を設け、ファッションモデル情報出力部は選択したファッションモデルにかかるファッションモデル情報を出力するように構成することもできる。これにより、ユーザは、複数のファッションモデルの中から所望のモデルを選んで情報を取得することができる。より具体的には、モデル端末は複数のファッションモデルのそれぞれが個別に携帯するものであり、モデル画像送出部とアイテム特定情報送出部とは、それら複数のファッションモデルのモデル画像及びアイテム特定情報を個別に公共通信網に送出するものであり、情報提供サーバは、複数のファッションモデルに対応する個別のファッションモデル情報を公共通信網に送出するものであり、ユーザ端末は、複数のファッションモデルのうち所望のものを選択する入力を行なうためのモデル選択入力部を備え、ファッションモデル情報取得部は選択されたファッションモデルに対応するファッションモデル情報を取得するものとできる。
【００６７】
次に、モデル画像取得部は、ファッションモデルが携帯する無線端末として構成されたモデル端末から、該モデル端末に組み込まれたカメラにより撮影されたモデル画像を無線通信により取得するものとすることができる。これにより、行動中のファッションモデルの画像を、現在着用しているファッションアイテム（着用アイテム）とともにリアルタイムに配信することができ、今現在どのようなコーディネートでファッションアイテムを着用しているのか、といった臨場感の高い情報を享受できる。この場合、モデル端末は、行動中のファッションモデルの画像を撮影するカメラを備えるとともに、モデル画像送出部の機能が組み込まれたものであり、カメラが撮影する画像をモデル画像として無線送出するものとして構成することができる。一方、
【００６８】
情報提供サーバのアイテム購入参照情報生成部が生成するアイテム購入参照情報は、公共通信網に接続された販売店サーバが運営する通信販売サイトの、アイテム特定情報が特定する着用アイテムの購入ページにアクセスするためのＵＲＬを含むものとすることができる。これにより、情報提供を受けるユーザは、該ＵＲＬ情報を利用して着用アイテムの購入ページに速やかにアクセスでき、モデル画像中の着用アイテムを通信販売により手に入れることができる。また、ユーザ端末は、前記通信販売サイトからアイテム特定情報が特定する着用アイテムを購入するための購入情報入力部と、該購入情報を情報提供サーバに送信する購入情報送信部を有するものとして構成することもできる。ユーザ端末をこのように構成することで、着用アイテムの購入選択、実際の購入や購入予約、あるいは取り置き等の指示を情報提供サーバ側に的確に伝達できる。情報提供サーバは、この購入情報を販売店サーバに転送することで、販売店サーバ側では、例えば着用アイテムの購入、予約、あるいは取り置きなどの手続きを完了させることが可能となる。また、購入情報が情報提供サーバ側で管理されることで、例えば情報提供サーバ運営者が販売店から得る販売マージンの管理も容易に実施できる。
【００６９】
他方、情報提供サーバのアイテム購入参照情報生成部が生成するアイテム購入参照情報は、アイテム特定情報が特定する着用アイテムの販売店の所在地情報を含むものとすることも可能である。これにより、情報提供を受けるユーザは、着用アイテムの販売店の所在地情報（例えば、電話番号やメールアドレス等を含むものであってもよい）を把握することができ、モデル画像中の着用アイテムを販売店に出向いて手に入れたり、購入予約や取り置き等の依頼を行なったりする上で有用となる。
【００７０】
この場合、ユーザ端末は、無線端末として構成されるとともに、その現在位置をユーザ現在位置として測位するユーザ現在位置測位部と、該測位により得られるユーザ現在位置を包含するエリアの地図情報を公共通信網に接続された地図サーバから取得する地図情報取得部を備え、地図情報に基づきモニタに表示される地図上に、ユーザ現在位置を示すユーザ現在位置アイコンと、情報提供サーバから受信する所在地情報が特定する販売店所在地を示す販売店所在地アイコンとを、ユーザ現在位置から販売店所在地に至る経路とともに表示する販売店経路表示制御部とを備えるものとして構成できる。これにより、情報提供を受けるユーザは、現在位置から販売店までの経路を容易に把握でき、販売店へ容易にたどりつくことができる。
【００７１】
本発明のファッションモデル情報提供システムは、モデル画像に表れている着用アイテムのアイテム特定情報を記憶するアイテム特定情報記憶部を備えたものとすることができ、アイテム特定情報取得部は、アイテム特定情報をアイテム特定情報記憶部から読み出して取得するものとできる。アイテム特定情報をあらかじめアイテム特定情報記憶部に記憶しておくことにより、出力すべきファッションモデル情報に組み込むアイテム特定情報を容易に取得することができる。他方、モデル画像中の着用アイテムを画像解析により特定する着用アイテム解析部を設け、アイテム特定情報取得部は、アイテム特定情報を前記着用アイテム解析部より取得するものとして構成することも可能である。
【００７２】
前述のアイテム特定情報送出部は、ファッションモデルがコーディネートする複数の着用アイテムにかかるアイテム特定情報のリストをコーデリストデータとして公共通信網に送出するものとして構成できる。情報提供サーバのアイテム購入参照情報生成部は、コーデリストデータに含まれる着用アイテムのアイテム購入参照情報を作成するものとして構成できる。ユーザ端末のアイテム購入参照情報出力制御部は、モニタにコーデリストデータを、アイテム購入参照情報を組み込んだ形で表示出力させるものとして構成できる。これにより、情報提供を受けるユーザは、行動中のファッションモデルの着用アイテムのコーディネートを、アイテム購入参照情報とともにリスト形式にて取得でき、例えば販売店の異なるアイテムも、どこで手に入るかを容易に把握できるので、気に入ったコーディネートを構成する複数の着用アイテムを効率的に入手するための一助となる。
【００７３】
ユーザ端末は、モデル画像を表示するモデル画面とコーデリストを表示するコーデリスト画面とを切り替えるモデル画像／コーデリスト切替制御部と、コーデリスト画面への切替えを選択するためのモデル画像／コーデリスト切替ソフトボタンをモデル画面上に表示形成するとともに、ユーザ端末に設けられた入力部によりモデル画像／コーデリスト切替ソフトボタンが画面上で操作されるに伴い、モデル画像／コーデリスト切替制御部に対しモデル画面からコーデリスト画面への切替えを指令するモデル画像／コーデリスト切替司令部とを備えるものとして構成できる。これにより、ユーザ端末のモニタの画面には、モデル画像とコーデリストとを画面切り替えにより分離表示でき、それぞれ十分な大きさで見やすく表示することが可能となる。これは、ユーザ端末が携帯電話端末やスマートフォン端末にて構成されている場合に特に有利である。
【００７４】
この場合、ユーザ端末は、当該ユーザ端末の現在位置をユーザ現在位置として測位するユーザ現在位置測位部と、地図上にユーザ現在位置を表示するユーザ現在位置表示制御部とを備えるものとして構成できる。これにより、ユーザは地図上にて自身の現在位置を、モデル現在位置までの距離や方角とともに容易に把握できる。
【００７５】
次に、本発明のファッションモデル情報提供システムには、ファッションモデルの行動経路を取得する行動経路情報取得部を設けることができる。ファッションモデル情報出力部は、行動経路情報と現在位置情報とに基づいて、ファッションモデルの現在位置を行動経路とともに地図上に表示する形で出力するものとして構成できる。これにより、当日ファッションモデルが辿った経路を知ることができ、例えばどのような場所に立ち寄ったかなどについても容易に把握することができる。行動経路情報取得部は、例えばファッションモデルの移動に伴う現在位置情報の変化に基づいて行動経路情報を生成する行動経路情報生成部を備えるものとして構成できる。
【００７６】
例えば、情報提供サーバのファッションモデル情報送出部はモデル位置情報を随時更新しつつ送出するものとすることができる。この場合、ユーザ端末のモデル現在位置表示制御部は、ファッションモデルの行動エリアの地図情報を公共通信網に接続された地図サーバから取得する地図情報取得部を備え、地図情報に基づきモニタに表示される地図上に、情報提供サーバから随時取得するモデル位置情報に基づきファッションモデルの現在位置を更新しつつ表示させるものとして構成できる。これにより、市中を行動中のファッションモデルの現在位置が刻々変化する場合でも、ユーザ端末に表示される現在位置を最新のものに随時更新できる。例えばモデルに会いに行きたいとユーザが考えた場合も、モデルの現在位置に的確にたどり着くことができる。
【００７７】
また、モデル端末が前述のカメラを備え、モデル画像送出部の機能が組み込まれている場合、該モデル画像送出部はカメラが撮影する画像をモデル画像として、当該モデル画像の撮影位置情報とともに無線送出するように構成できる。モデル現在位置表示制御部は、地図上におけるモデル画像の撮影位置を示す撮影位置アイコンを撮影位置情報に基づき移動経路上に表示するものとすることができる。これにより、ユーザは、取得するモデル画像が市中のどこで撮影されたのかを知ることができ、その撮影場所に赴いたりする際の有益な参照情報として活用できる。
【００７８】
この場合、ユーザ端末は、ファッションモデルの移動経路及び撮影位置アイコンとともに地図を表示するモデル行動地図画面と、モデル画像を表示するモデル画面とを切り替えるモデル行動地図／モデル画像切替制御部と、ユーザ端末に設けられた入力部により撮影位置アイコンが画面上で操作されるに伴い、モデル行動地図／モデル画像切替制御部に対しモデル行動地図画面からモデル画面への切替えを指令するモデル行動地図／モデル画像切替司令部とを備えるものとして構成できる。これにより、ユーザは、地図上の撮影位置アイコンを識別することで、モデル画像が撮影されている事実とその撮影場所とを同時に把握でき、かつ、撮影位置アイコンを操作することで、モデル画像を容易に閲覧することができる。
【００７９】
本発明の情報提供システムは、ファッションモデルの複数の訪問予定先を各々の所在地と対応付けた訪問予定先リストデータを公共通信網に送出する訪問予定先リスト送出部を備えたものとして構成できる。情報提供サーバは、訪問予定先リストデータを訪問予定先リスト送出部から取得する訪問予定先リスト取得部を備えるとともに、ファッションモデル情報送出部は該訪問予定先リストデータをファッションモデル情報として送出するものとして構成できる。ユーザ端末は訪問予定先リストデータをモニタに表示させる訪問予定先リスト表示制御部を備えるとともに、モデル現在位置表示制御部は、訪問予定先リストデータに含まれる訪問予定先の地図上の位置を示す訪問予定先アイコンを移動経路上に表示するものとして構成できる。これにより、情報提供を受けるユーザは、ファッションモデルの行動予定を、その具体的な訪問予定先とともにリスト形式にて的確に知ることができ、モデルの行動状況をより詳細に知ることが可能となる。また、訪問予定先を知ることで、実際にモデルに会いに行く、といったことをさらに確実に実現させることができる。
【００８０】
この場合、訪問予定先リストデータに含まれる訪問予定先の少なくとも一つが、ファッションモデルが着用するファッションアイテムの販売店を含むものとしておくことができる。これにより、当該の訪問予定先の情報は、注目を浴びているモデルが着用アイテムの販売店に来訪することを知らせる情報となることを意味し、当該モデルのファンを多数販売店に誘導できる情報として機能することとなる。よって、販売店に対するＰＲ効果を著しく高めることができる。
【符号の説明】
【００８１】
１  情報提供システム
５０  情報提供サーバ
５０ａ  モデル登録データ
５０ｂ  サーバ管理ソフトウェア
５０ｓ  訪問予定先リストデータ
５０ｒ  移動経路データ
５０ｃ  コーデリストデータ
５０ｐ  モデル画像データ
５０ｑ  トピック画像データ
５０ｕ  トピックコメントデータ
５０ｍ  アイテム抽出・照合解析ソフトウェア
５０ｎ  照合用アイテム画像データベース
５１  ＣＰＵ
５２  ＲＡＭ
５３  ＲＯＭ
５４  入出力部
５５  ハードディスクドライブ
５６  バス
５７  ルータ
５８  モニタ
５９  入力部
８０  販売店サーバ
１００  地図サーバ
１５０  ユーザ端末
１５０ａ  ユーザ端末アプリ
１５０ｍ  地図表示モジュール
１５０ｐ  経路表示モジュール
１５０ｓ  訪問予定先表示モジュール
１５０ｃ  コーデリスト表示モジュール
１５０ｂ  購入支援モジュール
１５１  ＣＰＵ
１５２  ＲＡＭ
１５３  ＲＯＭ
１５４  入出力部
１５５  フラッシュメモリ
１５６  バス
１５７  通信部
１５８  モニタ
１５９  タッチパネル
１６０  ＧＰＳ
１８０  モデル端末
１８０ａ  モデル端末アプリ
１８０ｓ  訪問予定先リスト作成送信モジュール
１８０ｃ  コーデリスト作成送信モジュール
１８０ｖ  モデル画像送信モジュール
１８１  ＣＰＵ
１８２  ＲＡＭ
１８３  ＲＯＭ
１８４  入出力部
１８５  フラッシュメモリ
１８６  バス
１８７  通信部
１８８  モニタ
１８９  タッチパネル
１９０  ＧＰＳ
１９１  カメラ
２００  インターネット
２０１  無線基地局
２０２  ウェブカメラ
３４０  メニュー画面
３４１  メニューヘッダ
３４２Ａ  モデルリスト
３４２Ｂ  検索ウィンドウ
３５０  モデル行動地図画面
３５１  画面ヘッダ
３５１Ａ  メニューアイコン
３５１Ｃ  画面タイトル
３５１Ｂ  情報アイコン
３５２  モデル選択フィールド
３５２Ａ  モデル選択アイコン
３５３  地図フィールド
３５３Ｒ  予定経路
３５３Ｃ  出発地アイコン
３５３Ｓ  モデル現在地アイコン
３５３Ｖ  経由地アイコン
３５３Ｊ  ランドマークアイコン
３５３Ｐ  撮影写真ありアイコン
３５３Ｕ  ユーザ現在地アイコン
３５３Ｔ  送信アイコン
３５３Ｗ  トピック表示ボタン３５３
３５３Ｄ  
３５４  メニューボタン群
３６０  訪問予定先リスト画面
３６１  画面ヘッダ
３６１Ａ  ボタン
３６１Ｃ  画面タイトル
３６２  個別訪問予定先フィールド
３６２Ａ  訪問予定先シンボル
３６２Ｂ  矢印
３６２Ｃ  訪問予定先名
３６２Ｄ  訪問予定先所在地
３６２Ｅ  訪問予定先画像
３６２Ｆ  ボタン
３６２Ｇ  フォローボタン
３６３  次ページボタン
３７０  モデル画像
３７０Ａ  モデル
３７０Ｂ  撮影地背景
３７０Ｃ  画面クローズボタン
３７１  コーデリスト画面遷移ボタン
３７２  ボタン
３８０  コーデリスト画面
３８１  画面ヘッダ
３８１Ａ  ボタン
３８１Ｃ  画面タイトル
３８２  モデル表示フィールド
３８２Ａ  モデル画像
３８２Ｂ  モデル特定情報
３８２Ｃ  フォローボタン
３８３  アイテムフィールド
３８３Ａ  アイテム画像（アイテム選択ボタン）
３８３Ｂ  アイテム名
３８３Ｃ  アイテム種類情報
３８３Ｄ  販売チャネル情報（販売店選択ボタン）
３８３Ｅ  価格情報
３９０  販売店画面
３９１  画面ヘッダ
３９１Ａ  ボタン
３９１Ｃ  画面タイトル
３９２  地図フィールド
３９４Ｕ  ユーザ現在地アイコン
３９２Ｌ  訪問予定先画像
３９２Ｍ  地図
３９２Ｎ  経路検索ボタン
３９２Ｓ  出発地アイコン
３９２Ｒ  案内経路
３９２Ｄ  目的地アイコン
３９３  販売店紹介フィールド
３９３Ａ  アイテム画像
３９０’  販売店画面
３９５  個別アイテム購入フィールド
３９５Ａ  アイテム画像（アイテム選択ボタン）
３９５Ｂ  アイテム名
３９５Ｃ  アイテム種類情報
３９５Ｄ  販売チャネル情報（販売店選択ボタン）
３９５Ｅ  価格情報
３９５Ｐ  購入選択ボタン
４００  経路表示画面
４０１  画面ヘッダ
４０１Ａ  ボタン
４０１Ｃ  画面タイトル
４０３  経路情報フィールド
４０３Ｓ  出発地名
４０３Ｄ  目的地名
４０４  案内開始ボタン
４１０  トピック提供画面
４１１  画面ヘッダ
１１１Ａ  ボタン
４１１Ｃ  画面タイトル
４１２  情報提供フィールド
４１２Ｌ  トピック画像
４１２Ｎ  経路検索ボタン
４１３  コメントフィールド
４１４  店舗情報
【図１】
2020052657.tif 000003
【図２】
2020052657.tif 000004
【図３】
2020052657.tif 000005
【図４】
2020052657.tif 000006
【図５】
2020052657.tif 000007
【図６】
2020052657.tif 000008
【図７】
2020052657.tif 000009
【図８】
2020052657.tif 000010
【図９】
2020052657.tif 000011
【図１０】
2020052657.tif 000012
【図１１】
2020052657.tif 000013
【図１２】
2020052657.tif 000014
【図１３】
2020052657.tif 000015
【図１４】
2020052657.tif 000016
【図１５】
2020052657.tif 000017
【図１６】
2020052657.tif 000018
【図１７】
2020052657.tif 000019
【図１８】
2020052657.tif 000020
【図１９】
2020052657.tif 000021
【図２０】
2020052657.tif 000022
【図２１】
2020052657.tif 000023
【図２２】
2020052657.tif 000024
【図２３】
2020052657.tif 000025
【図２４】
2020052657.tif 000026
【図２５】
2020052657.tif 000027